(57)【特許請求の範囲】
【請求項１】
光ファイバの端末部の被覆を除去する被覆除去具であって、
基部と、前記基部から一方向に延出された一対のアーム部とを有し、
各々の前記アーム部は、先端側に設けられた操作部、並びに基部側に設けられ弾性変形することで一対の前記操作部を互いに近接させる変形部、を備え、
一対の前記操作部には、互いに対向する内側に、互いの先端が向かい合って設けられた一対の第１挟持対と、一対の第２挟持対と、が前後に並んで設けられ、
前記第１挟持対は、前後方向において前記第２挟持対に対し前記光ファイバの端末側に位置し、
前記光ファイバは、裸光ファイバと、前記裸光ファイバを覆う内側被覆層と、前記内側被覆層をさらに覆う外側被覆層と、を有し、
前後方向に沿って配置した前記光ファイバを、前記第１挟持対及び前記第２挟持対で挟み込んだ挟持状態で、前記第１挟持対の先端同士は前記内側被覆層及び前記外側被覆層に食い込み前記内側被覆層及び前記外側被覆層に亀裂を生じさせ、前記第２挟持対の先端同士は前記外側被覆層に食い込み前記外側被覆層に亀裂を生じさせる、
光ファイバ用被覆除去具。
【請求項２】
一対の前記操作部には、互いに対向する内側に、それぞれ嵌合凸部と嵌合凹部とが設けられ、
前記第１挟持対及び前記第２挟持対で挟み込んだ挟持状態で、前記嵌合凸部は、前記嵌合凹部に嵌る、
請求項１に記載の光ファイバ用被覆除去具。
【請求項３】
前記第１挟持対の互いの先端に平坦な面が形成されている、請求項１又は２に記載の光ファイバ用被覆除去具。
【請求項４】
前記第２挟持対の互いの先端に前記光ファイバが嵌る丸溝が形成されている、請求項１〜３の何れか一項に記載の光ファイバ用被覆除去具。
【請求項５】
前記第１挟持対及び前記第２挟持対のうち何れか一方又は両方の向かい合う先端同士が、前記挟持状態において平行に形成されているか、若しくは、前記挟持状態において前記光ファイバを引き抜く方向が広がるように傾斜して形成されている、請求項１〜４の何れか一項に記載の光ファイバ用被覆除去具。
【請求項６】
互いに対向する一対の前記アーム部の内側に、前記第１挟持対及び前記第２挟持対の近接距離を制限する近接制限部を有する、請求項１〜５の何れか一項に記載の光ファイバ用被覆除去具。
【請求項７】
前記近接制限部が、前記第１挟持対の先端同士の近接を、前記裸光ファイバの外径以上、前記内側被覆層の外径以下の距離に制限し、前記第２挟持対の先端同士の近接を、前記内側被覆層の外径以上、前記外側被覆層の外径以下の距離に制限する、請求項６に記載の光ファイバ用被覆除去具。
【請求項８】
前記近接制限部が、前記操作部において、前記第１挟持対と前記第２挟持対との前後方向の間に設けられている、請求項６又は７に記載の光ファイバ用被覆除去具。
【請求項９】
前記近接制限部が、一対の前記アーム部のうち一方のアーム部に設けられ、
前記挟持状態で前記光ファイバが前記近接制限部の上方を通過する、請求項６〜８の何れか一項に記載の光ファイバ用被覆除去具。
【請求項１０】
前記基部が、前記挟持状態で前記光ファイバの端末部を挿通させるガイド孔を備えている、請求項１〜９の何れか一項に記載の光ファイバ用被覆除去具。
【請求項１１】
前記基部が、前記ガイド孔に前記光ファイバの端末部を案内するテーパ部を備えている、請求項１０に記載の光ファイバ用被覆除去具。
【請求項１２】
前記操作部の外側に、把持部が設けられ、
前記把持部は、前記第１挟持対と前記第２挟持対との間を押圧するように位置する請求項１〜１１の何れか一項に記載の光ファイバ用被覆除去具。
【請求項１３】
前記光ファイバが、光ファイバホルダに保持され、
前記基部が、前記光ファイバホルダを前後方向に直線移動させるスライド部を有している請求項１〜１２の何れか一項に記載の光ファイバ用被覆除去具。
【請求項１４】
前記基部が、前記光ファイバホルダの被覆除去の開始位置に位置決め可能なストッパを有する請求項１３に記載の光ファイバ用被覆除去具。
【請求項１５】
前記基部は、前記アーム部の延出方向と同方向に延びる台部を有し、
前記アーム部と前記台部とは、互いに対向し、かつ前記光ファイバの高さと同じ距離だけ離間して配置された対向面をそれぞれ有し、
前記光ファイバホルダを、前記アーム部と前記台部の前記対向面同士の間に接触して配置させる請求項１３又は１４に記載の光ファイバ用被覆除去具。
【請求項１６】
前記基部と前記アーム部とが、樹脂からなり一体に形成されている請求項１〜１５の何れか一項に記載の光ファイバ用被覆除去具。
【請求項１７】
一対のアーム部の互いに対向する内側に、前後方向に沿って光ファイバを配置する工程と、
一対の前記アーム部の基部側の弾性変形可能な変形部より先端側に形成された操作部の外側に設けた把持部をそれぞれ把持して前記変形部を変形させ、一対の前記操作部の内側に前後に並んで設けられた第１挟持対及び第２挟持対の各先端同士を前記光ファイバを挟み込むまで近接させる工程と、
前記光ファイバを後方に引き抜くことで前記光ファイバの被覆を除去する工程と、を含み、
前記第１挟持対は、前後方向において前記第２挟持対に対し前記光ファイバの端末側に位置し、
前記光ファイバは、裸光ファイバと、前記裸光ファイバを覆う内側被覆層と、前記内側被覆層をさらに覆う外側被覆層と、を有し、
前記第１挟持対及び前記第２挟持対の各先端同士を前記光ファイバを挟み込むまで近接させる工程では、前記第１挟持対の先端同士は前記内側被覆層及び前記外側被覆層に食い込み前記内側被覆層及び前記外側被覆層に亀裂を生じさせ、前記第２挟持対の先端同士は前記外側被覆層に食い込み前記外側被覆層に亀裂を生じさせ、
前記光ファイバの被覆を除去する工程では、前記第１挟持対において前記内側被覆層及び前記外側被覆層が除去され、前記第２挟持対において外側被覆層が除去される、光ファイバの被覆除去方法。
【発明の詳細な説明】
【技術分野】
【０００１】
本発明は、光ファイバ用被覆除去具及び光ファイバの被覆除去方法に関する。
【背景技術】
【０００２】
光ファイバを接続する場合、前処理として光ファイバの端末部分の被覆を除去が必要となる。現場での被覆の除去は、例えば特許文献１に記載されるような光ファイバ用被覆除去具（ストリッパ）を用いて実施されることが多い。
【０００３】
光ファイバとしては、例えば図１２に示すように、線径Ｄ１＝１２５μｍの裸光ファイバ２の外周をＵＶ樹脂製の内側被覆層３で包み込み線径Ｄ２＝２５０μｍとし、さらにＵＶ樹脂製の外側被覆層４で包み込み線径Ｄ３＝５００μｍとしたものが知られている。
【先行技術文献】
【特許文献】
【０００４】
【特許文献１】特開２００２−１９９５３６号公報
【発明の概要】
【発明が解決しようとする課題】
【０００５】
図１２に示すような裸光ファイバ２とその外周を覆う内側被覆層３及び外側被覆層４とを有する光ファイバは、接続にあたり先端側から裸光ファイバ、内側被覆層、外側被覆層として段付きに被覆が除去された状態にする必要がある。
従来、外側被覆層の除去用と内側被覆層の除去用との光ファイバ用被覆除去具をそれぞれ用意し、外側被覆層を除去した後に、内側被覆層を除去していた。これにより、作業工数が増え現場の作業者の負担となっていた。
【０００６】
本発明は、上記課題に鑑みなされたものであり、一度の除去工程で内側被覆層と外側被覆層を段付きに除去できる光ファイバ用被覆除去具の提供を目的とする。
【課題を解決するための手段】
【０００７】
本発明に係る光ファイバ用被覆除去具は、光ファイバの端末部の被覆を除去する被覆除去具であって、基部と、前記基部から一方向に延出された一対のアーム部とを有し、各々の前記アーム部は、先端側に設けられた操作部、並びに基部側に設けられ弾性変形することで一対の前記操作部を互いに近接させる変形部、を備え、一対の前記操作部には、互いに対向する内側に、互いの先端が向かい合って設けられた一対の第１挟持対と、一対の第２挟持対と、が前後に並んで設けられ、前記第１挟持対は、前後方向において前記第２挟持対に対し前記光ファイバの端末側に位置し、前記光ファイバは、裸光ファイバと、前記裸光ファイバを覆う内側被覆層と、前記内側被覆層をさらに覆う外側被覆層と、を有し、前後方向に沿って配置した前記光ファイバを、前記第１挟持対及び前記第２挟持対で挟み込んだ挟持状態で、前記第１挟持対の先端同士は前記内側被覆層及び前記外側被覆層に食い込み前記内側被覆層及び前記外側被覆層に亀裂を生じさせ、前記第２挟持対の先端同士は前記外側被覆層に食い込み前記外側被覆層に亀裂を生じさせる。
また、上記の光ファイバ被覆除去具は、一対の前記操作部には、互いに対向する内側に、それぞれ嵌合凸部と嵌合凹部とが設けられ、前記第１挟持対及び前記第２挟持対で挟み込んだ挟持状態で、前記嵌合凸部は、前記嵌合凹部に嵌る、ものであってもよい。
【０００８】
また、上記の光ファイバ被覆除去具は、前記第１挟持対の互いの先端に平坦な面が形成されてもよい。
【０００９】
また、上記の光ファイバ被覆除去具は、前記第２挟持対の互いの先端に前記光ファイバが嵌る丸溝が形成されていてもよい。
【００１０】
また、上記の光ファイバ被覆除去具は、前記第１挟持対及び前記第２挟持対のうち何れか一方又は両方の向かい合う先端同士が、前記挟持状態において平行に形成されているか、若しくは、前記挟持状態において前記光ファイバを引き抜く方向が広がるように傾斜して形成されていてもよい。
【００１１】
また、上記の光ファイバ被覆除去具は、互いに対向する一対の前記アーム部の内側に、前記第１挟持対及び前記第２挟持対の近接距離を制限する近接制限部を有していてもよい。
【００１２】
また、上記の光ファイバ被覆除去具は、前記近接制限部が、前記第１挟持対の先端同士の近接を、前記裸光ファイバの外径以上、前記内側被覆層の外径以下の距離に制限し、前記第２挟持対の先端同士の近接を、前記内側被覆層の外径以上、外側被覆層の外径以下の距離に制限するものであってもよい。
【００１３】
また、上記の光ファイバ被覆除去具は、前記近接制限部が、前記操作部において、前記第１挟持対と前記第２挟持対との前後方向の間に設けられていてもよい。
【００１４】
また、上記の光ファイバ被覆除去具は、前記近接制限部が、一対の前記アーム部のうち一方のアーム部に設けられ、前記挟持状態で前記光ファイバが前記近接制限部の上方を通過するものであってもよい。
【００１５】
また、上記の光ファイバ被覆除去具は、前記基部が、前記挟持状態で前記光ファイバの端末部を挿通させるガイド孔を備えていてもよい。
【００１６】
また、上記の光ファイバ被覆除去具は、前記基部が、前記ガイド孔に前記光ファイバの端末部を案内するテーパ部を備えていてもよい。
【００１７】
また、上記の光ファイバ被覆除去具は、前記操作部の外側に、把持部が設けられ、前記把持部は、前記第１挟持対と前記第２挟持対との間を押圧するように位置してもよい。
【００１８】
また、上記の光ファイバ被覆除去具は、前記光ファイバが、光ファイバホルダに保持され、前記基部が、前記光ファイバホルダを前後方向に直線移動させるスライド部を有していてもよい。
【００１９】
また、上記の光ファイバ被覆除去具は、前記基部が、前記光ファイバホルダの被覆除去の開始位置に位置決め可能なストッパを有していてもよい。
【００２０】
また、上記の光ファイバ被覆除去具は、前記基部は、前記アーム部の延出方向と同方向に延びる台部を有し、前記アーム部と前記台部とは、互いに対向し、かつ前記光ファイバの高さと同じ距離だけ離間して配置された対向面をそれぞれ有し、前記光ファイバホルダを、前記アーム部と前記台部の前記対向面同士の間に接触して配置させてもよい。
【００２１】
また、上記の光ファイバ被覆除去具は、前記基部と前記アーム部とが、樹脂からなり一体に形成されていてもよい。
【００２２】
上記の光ファイバ被覆除去具に係る光ファイバの被覆除去方法は、一対のアーム部の互いに対向する内側に、前後方向に沿って光ファイバを配置する工程と、一対の前記アーム部の基部側の弾性変形可能な変形部より先端側に形成された操作部の外側に設けた把持部をそれぞれ把持して前記変形部を変形させ、一対の前記操作部の内側に前後に並んで設けられた第１挟持対及び第２挟持対の各先端同士を前記光ファイバを挟み込むまで近接させる工程と、前記光ファイバを後方に引き抜くことで前記光ファイバの被覆を除去する工程と、を含み、前記第１挟持対は、前後方向において前記第２挟持対に対し前記光ファイバの端末側に位置し、前記光ファイバは、裸光ファイバと、前記裸光ファイバを覆う内側被覆層と、前記内側被覆層をさらに覆う外側被覆層と、を有し、前記第１挟持対及び前記第２挟持対の各先端同士を前記光ファイバを挟み込むまで近接させる工程では、前記第１挟持対の先端同士は前記内側被覆層及び前記外側被覆層に食い込み前記内側被覆層及び前記外側被覆層に亀裂を生じさせ、前記第２挟持対の先端同士は前記外側被覆層に食い込み前記外側被覆層に亀裂を生じさせ、前記光ファイバの被覆を除去する工程では、前記第１挟持対において前記内側被覆層及び前記外側被覆層が除去され、前記第２挟持対において外側被覆層が除去される。
【発明の効果】
【００２３】
本発明によれば、一度の除去工程で内側被覆層と外側被覆層を段付きに除去できる光ファイバ用被覆除去具を提供できる。
【図面の簡単な説明】
【００２４】
【図１】第１実施形態の光ファイバ用被覆除去具の斜視図である。
【図２】第１実施形態の光ファイバ用被覆除去具の側面図である。
【図３】第１実施形態の光ファイバ用被覆除去具の平面図である。
【図４】第１実施系他の光ファイバ用被覆除去具における第２挟持対の拡大斜視図である。
【図５】光ファイバホルダの斜視図である。
【図６】第１実施形態の光ファイバ用被覆除去具を用いた被覆除去工程において、挟持状態を示す平面図である。
【図７】光ファイバ用被覆除去具の挟持状態における第１挟持対及び光ファイバの断面図であり、図７（ａ）は、第１実施形態の被覆除去具を示し、図７（ｂ）〜図７（ｄ）は、変形例の被覆除去具を示す。
【図８】光ファイバ用被覆除去具の挟持状態における第２挟持対及び光ファイバの断面図であり、図８（ａ）は、第１実施形態の被覆除去具を示し、図８（ｂ）は、変形例の被覆除去具を示す。
【図９】第１実施形態の光ファイバ用被覆除去具を用いた被覆除去工程において、光ファイバの被覆に亀裂を生じさせて被覆を除去する状態を示す平面図である。
【図１０】第２実施形態の光ファイバ用被覆除去具の斜視図である。
【図１１】第２実施形態の光ファイバ用被覆除去具を用いた被覆除去工程において、後方から光ファイバホルダを光ファイバ用被覆除去具に挿入した状態を示す斜視図である。
【図１２】光ファイバの端末部を示す模式図である。
【発明を実施するための形態】
【００２５】
（第１実施形態）
以下、実施形態について図面を参照して詳細に説明する。なお、各図にはＸ−Ｙ−Ｚ座標系を示した。以下の説明において、必要に応じて各座標系に基づいて各方向の説明を行う。
【００２６】
本実施形態のストリッパ（光ファイバ用被覆除去具）１００の斜視図を図１に示し、側面図を図２に示し、平面図を図３に示す。
ストリッパ１００は、光ファイバ１（図１２参照）の被覆を除去する光ファイバ用被覆除去具である。
【００２７】
＜＜光ファイバ＞＞
図１２は、本実施系他における被覆除去の対象となる光ファイバ１を示す図である。
光ファイバ１は、裸光ファイバ２と裸光ファイバ２を覆う内側被覆層３と、内側被覆層３をさらに覆う外側被覆層４とを有する。光ファイバ１は、ストリッパ１００により、内側被覆層３と外側被覆層４とを段付きに除去される。これにより、光ファイバ１は、図１２に示すように、裸光ファイバ２と内側被覆層３とが段付きに露出された端末部１ａが形成される。
【００２８】
裸光ファイバ２は特に限定されず、従来公知の各種の光ファイバ、例えば、シングルモード光ファイバ、マルチモード光ファイバ、偏波保持光ファイバ、ホーリーファイバなどの各種の光ファイバを適用することができる。また裸光ファイバ２の外径は限定されないが、一般に広く使用されている外径Ｄ１＝１２５μｍの光ファイバ裸線などを用いることが好ましい。
内側被覆層３は、裸光ファイバ２の外周に被着している。同様に、外側被覆層４は、内側被覆層３の外周に被着している。内側被覆層３及び外側被覆層４は、例えばＵＶ樹脂などからなる。
内側被覆層３は、例えば外径Ｄ２＝２５０μｍとされている。また、外側被覆層４は、例えば外径Ｄ３＝５００μｍとされている。
【００２９】
光ファイバ１は、後段において説明する光ファイバホルダ２００（図５参照）に把持された状態で、被覆除去工程が行われることが好ましい。
【００３０】
＜＜ストリッパ（光ファイバ用被覆除去具）＞＞
図１〜図３に示すように、本実施形態のストリッパ１００は、基部１０と、基部１０から一方向に延出された一対のアーム部４０とを有し、これらが一体に形成されたものである。
【００３１】
ストリッパ１００は、一度の成形によって複数個のストリッパ１００が形成されるように、一つのランナーに、複数のストリッパ１００をゲートを介して接続させた成形品で供給することが好ましい。製品としては、ランナーにストリッパ１００を接続させた状態で供給してもよいし、ランナーからストリッパ１００を取り外した上で、供給してもよい。
【００３２】
ストリッパ１００は、ポリアセタール樹脂（ＰＯＭ）、又はノリル（商標登録）からなることが好ましく、特にポリアセタール樹脂（ＰＯＭ）を用いることが好ましい。これらの樹脂は、適度な弾性を有すると共に機械的強度が高いために、弾性変形に対する耐久性が高く、ストリッパ１００への採用に適している。
【００３３】
以下、ストリッパ１００各部について詳細に説明する。なお、以下の説明において、ストリッパ１００に対して光ファイバ１を挿入させるために進行させる方向を前方として＋Ｙ軸方向を割り当てる。また、基部１０に対してアーム部４０が形成される上方に＋Ｚ方向を割り当てるものとする。
【００３４】
＜基部＞
基部１０は、平面視矩形状で上下方向（Ｚ軸方向）に厚みを有する台部１１と、台部１１の上面（対向面）１１ａの前方（＋Ｙ側）に設けられた支柱部１２と、台部１１の上面１１ａの後方（−Ｙ側）に設けられたスライド部１３と、台部１１の上面１１ａの中央に台部１１を幅方向（Ｘ軸方向）に横切るように突出して形成されたストッパ１４と、台部１１の上面１１ａにおいて支柱部１２とストッパ１４との間に設けられたガイド体１５と、を有する。
【００３５】
＜台部＞
台部１１の中央には、矩形状の孔としての窓１１ｃが設けられている。窓１１ｃは、平面視でアーム部４０の第２挟持対４６と対応する位置に設けられている。光ファイバ１の端末部１ａにおいて除去された内側被覆層３及び外側被覆層４は、窓１１ｃから落下して、台部１１上に滞留することがない。
【００３６】
＜支柱部＞
支柱部１２は、台部１１の上面１１ａから上方に突出して設けられている。支柱部１２は、台部１１の前方に設けられており、支柱部１２から後方にアーム部４０が延出する。一対のアーム部４０は、台部１１の中央に向かって延びており、光ファイバ１を挟み込むために互いに近接する。支柱部１２は、片持ちとなる一対のアーム部４０を支持する役割を果たす。
【００３７】
支柱部１２には、ストリッパ１００の前後方向に沿って延びるガイド孔１２ａが設けられている。ガイド孔１２ａは、光ファイバ１の内側被覆層３、及び外側被覆層４を除去する工程において、光ファイバ１が挿通される。これによりガイド孔１２ａは、光ファイバ１を直線状に保持する。
【００３８】
ガイド孔１２ａの後方には、ガイド孔１２ａの開口に向けて徐々に狭まるテーパ部１２ｂが設けられている。テーパ部１２ｂは、上方が開放されている。作業者は、光ファイバ１の先端１ａを上方からテーパ部１２ｂに格納し光ファイバ１を前方に送ることで、光ファイバ１をガイド孔１２ａに挿通させることができる。
【００３９】
＜ガイド体＞
ガイド体１５は、台部１１の上面１１ａに設けられブロック状に形成されている。ガイド体１５は、平面視で一対のアーム部４０同士の間に配置されている。
ガイド体１５の上面１５ａは、アーム部４０の長手方向（Ｙ軸方向）と同方向の中心線に沿って窪んだ凹面形状を有している。この凹面形状は、支柱部１２に設けられたテーパ部１２ｂと滑らかに連続している。
作業者は、ガイド孔１２ａに光ファイバ１を案内する際に、光ファイバ１の先端１ａをガイド体１５の上面１５ａに接触させた状態で、光ファイバ１を前方に進行させることが好ましい。これにより、作業者は、光ファイバ１の先端１ａをガイド体１５の上面１５ａ、テーパ部１２ｂ、ガイド孔１２ａの順にスムーズに案内できる。
【００４０】
＜スライド部＞
スライド部１３は、台部１１の幅方向（Ｘ軸方向）の両側において、上面１１ａから上方に突出して一対設けられている。スライド部１３は、台部１１の幅方向両側の縁に沿って長手方向（Ｙ軸方向）に延びている。一対のスライド部１３同士は、互いに平行に延びている。一対のスライド部１３同士の距離は、後段に説明する光ファイバホルダ２００（図５参照）の幅と略同じか若干大きくなっている。一対のスライド部１３の間に光ファイバホルダ２００を配置することで、光ファイバホルダ２００をＹ方向に直線移動させることができる。
【００４１】
＜ストッパ＞
ストッパ１４は、台部１１の上面１１ａにおいて台部１１の短手方向（Ｘ軸方向）に沿って立設された凸条部である。ストッパ１４は、スライド部１３に沿って直線移動させる光ファイバホルダ２００（図５参照）の前方先端と当接する。これにより、ストッパ１４は、光ファイバホルダ２００をＹ軸方向に位置決めして、光ファイバホルダ２００に保持された光ファイバ１の被覆除去の開始位置を所定の位置とすることができる。
【００４２】
＜アーム部＞
一対のアーム部４０は、基部１０の支柱部１２から後方（−Ｙ方向）に延びている。アーム部４０は、先端側（−Ｙ側）に設けられた操作部４２と、支柱部１２側に設けられ弾性変形することで操作部４２同士を互いに近接させる変形部４１と、を備えている。
【００４３】
＜変形部＞
一対の変形部４１は、Ｙ軸方向に沿って延出しており、その横断面はＸ軸方向に比較的薄く、Ｚ軸方向に比較的厚く形成されている。これにより、変形部４１は、Ｘ軸方向に曲がる弾性変形しやすくなっている。
【００４４】
＜操作部＞
一対の操作部４２（４２Ａ、４２Ｂ）は、それぞれ変形部４１の先端側（後方）に形成されている。一対の操作部４２は、変形部４１の横断面に対して外側に拡大した横断面を有している。一対の操作部４２は、内側面４２ａを向い合せて並んで配置されている。
なお、以下の説明では必要に応じて、操作部４２のうち−Ｘ側に位置する一方を第１操作部４２Ａとし、＋Ｘ側に位置する他方を第２操作部４２Ｂとする。
【００４５】
一対の操作部４２（第１操作部４２Ａ及び第２操作部４２Ｂ）は、それぞれ、第１突出片４３と、第２突出片４４と、把持部４７と、を有している。第１操作部４２Ａの第１突出片４３と第２操作部４２Ｂの第１突出片４３とは、第１挟持対４５を構成する。同様に、第１操作部４２Ａの第２突出片４４と第２操作部４２Ｂの第２突出片４４とは、第２挟持対４６を構成する。
また、図３に示すように、一対の操作部４２のうち第１操作部４２Ａは、近接制限部４８を有している。また、第１操作部４２Ａの内側面４２ａの最後方における上部と下部にはそれぞれ嵌合凹部４９Ａが設けられている。一方、第２操作部４２Ｂの内側面４２ａの最後方における上部と下部にはそれぞれ嵌合凸部４９Ｂが設けられている。
【００４６】
近接制限部４８は、第１操作部４２Ａの内側面４２ａから第２操作部４２Ｂ側に突出して形成されている。また、近接制限部４８は、内側面４２ａにおいて第１突出片４３と第２突出片４４との間に位置している。
近接制限部４８は、第１操作部４２Ａと第２操作部４２Ｂとが近づけられた際に、第２操作部４２Ｂの内側面４２ａに当接する。これにより、操作部４２Ａと操作部４２Ｂとが近接制限部４８の突出高さ以上に近接することを制限する。
【００４７】
近接制限部４８は、被覆除去される光ファイバ１が通過する領域より下方に設けられている。また、近接制限部４８は、基部１０のガイド体１５より後方（−Ｙ側）に設けられている。
被覆除去工程は、基部１０の支柱部１２に設けられたガイド孔１２ａに光ファイバ１を挿通させた状態で行われる。したがって作業者は、被覆除去工程の予備工程として、光ファイバ１をガイド孔１２ａに挿通させる。この予備工程において、近接制限部４８の上面４８ａに沿って光ファイバ１を長手方向に移動させることで、光ファイバ１がガイド孔１２ａに挿通されやすくなる。
【００４８】
第１突出片４３及び第２突出片４４は、操作部４２の内側面４２ａから他方の操作部４２側に突出して形成されている。第１突出片４３及び第２突出片４４は、上下方向（Ｚ軸方向）に延びる凸条部として形成されている。
第１突出片４３と第２突出片４４は、前後方向（Ｙ軸方向）に並んで配置されている。第１突出片４３は、第２突出片４４に対して前方（＋Ｙ側）に位置している。
一対の第１突出片４３は、互いの先端４３ａ同士が向き合っている。対向する一対の第１突出片４３は、第１挟持対４５を構成している。同様に、一対の操作部４２の第２突出片４４は、互いの先端４４ａ同士が向き合っている。対向する一対の第２突出片４４は、第２挟持対４６を構成している。
【００４９】
第１挟持対４５を構成する一対の第１突出片４３の先端４３ａ同士の間、並びに、第２挟持対４６を構成する一対の第２突出片４４の先端４４ａ同士の間には、隙間が設けられている。光ファイバ１は、第１挟持対４５及び第２挟持対４６の隙間に配置されて、被覆除去工程が行われる。
【００５０】
第１挟持対４５及び第２挟持対４６は、変形部４１が弾性変形することで、それぞれ近接する。操作部４２の内側面４２ａにおいて、第１突出片４３と第２突出片４４との間には、近接制限部４８が形成されている。第１挟持対４５及び第２挟持対４６の近接距離は、近接制限部４８により制限される。
近接制限部４８は、Ｙ軸方向に対し第１挟持対４５及び第２挟持対４６の間に設けられている。これにより、変形部４１の撓みの影響で、第１挟持対４５と第２挟持対４６のうち、一方の挟持対のみが偏って近接することを防ぐことができる。
【００５１】
被覆除去工程においては、第１挟持対４５（即ち一対の第１突出片４３）の間に光ファイバ１を配置し、近接制限部４８が当接するまで一対の操作部４２同士を近づけることで、第１挟持対４５で光ファイバ１を挟み込む。第１挟持対４５は、内側被覆層３の外径Ｄ２より近づき、内側被覆層３並びに外側被覆層４に亀裂を生じさせることができる。また、近接制限部４８は、第１挟持対４５を構成する第１突出片４３の先端４３ａ同士が裸光ファイバ２に過度の力が加わることを抑制する。これにより、裸光ファイバ２を損傷させることがない。
挟持状態から光ファイバ１を引き抜くことで、第１挟持対４５が生じさせた亀裂を起点に内側被覆層３と外側被覆層４とが除去される。
【００５２】
第１挟持対４５を構成する第１突出片４３の先端４３ａは、上下方向（Ｚ軸方向）に延在する。先端４３ａは、前後方向の厚さが１ｍｍ程度となる平坦面となっている。互いに向かい合う第１突出片４３の先端４３ａ同士は、光ファイバ１を挟み込んだ状態で、互いに平行とされることが好ましい。また、互いに向かい合う先端４３ａは、光ファイバ１を挟み込んだ状態で、光ファイバ１を引き抜く方向が広がるように傾斜して形成されていてもよい。これにより、先端４３ａの摩耗を抑制しつつ、光ファイバ１の内側被覆層３及び外側被覆層４に亀裂の起点を生じさせることができる。
なお「光ファイバ１を挟み込んだ状態」とは、一方の操作部４２Ａの内側面４２ａに設けられた近接制限部４８が、他方の操作部４２Ｂの内側面４２ａに当接した状態であり、後段で図６を基に説明する挟持状態である。
【００５３】
第２挟持対４６を構成する第２突出片４４の先端４４ａ同士は、内側被覆層３の外径Ｄ２以上、外側被覆層４の外径Ｄ３以下の距離に近接が制限されている。
被覆除去工程においては、第２挟持対４６（即ち一対の第２突出片４４）の間に光ファイバ１を配置し、近接制限部４８が当接するまで一対の操作部４２同士を近づけることで、第２挟持対４６で光ファイバ１を挟み込む。第２挟持対４６は、外側被覆層４の外径Ｄ３より近づくため、外側被覆層４に亀裂を生じさせることができる。また、第２挟持対４６は、内側被覆層３の外径Ｄ２より離間しているため、内側被覆層３を損傷させることがない。したがって、この状態で、光ファイバ１を第２挟持対４６から引き抜くことで、光ファイバ１の外側被覆層４を除去できる。
【００５４】
図４に、第２挟持対４６の拡大斜視図を示す。
第２挟持対４６を構成する第２突出片４４の先端４４ａは、上下方向（Ｚ軸方向）に延在する。先端４４ａは、前後方向の厚さが１ｍｍ程度となる平坦面となっている。この先端４４ａには、外側被覆層４の外径Ｄ２に対応する丸溝４４ｂが設けられている。対向する丸溝４４ｂは、操作部４２が近接することで光ファイバ１の外側被覆層４を挟み込む。対向する丸溝４４ｂは、光ファイバ１を挟み込んだ状態で、互いに平行とされることが好ましい。また、対向する丸溝４４ｂは、光ファイバ１を挟み込んだ状態で、光ファイバ１を引き抜く方向が広がるように傾斜して形成されていてもよい。これにより、丸溝４４ｂが形成された先端４４ａの摩耗を抑制しつつ、光ファイバ１の外側被覆層４に亀裂の起点を生じさせることができる。
また、光ファイバ１を一対の先端４４ａに設けられた丸溝４４ｂの内周面で挟み込むことで、光ファイバ１と先端４４ａとの接触面積を大きくすることができる。これにより、光ファイバ１に加わる面圧を低減し、内側被覆層３及び裸光ファイバ２の損傷を防ぎつつ、外側被覆層４に亀裂の起点を生じさせることできる。
【００５５】
把持部４７は、作業者が操作部４２を挟み込むように把持することで、変形部４１を弾性変形させるために設けられている。
把持部４７は、作業者が第１挟持対４５と第２挟持対４６との間を押圧するように設けられていることが好ましい。光ファイバ１を第１挟持対４５及び第２挟持対４６の隙間に配置して、作業者が把持部４７を押圧することで、変形部４１が撓み、第１挟持対４５及び第２挟持対４６をそれぞれ近接させ光ファイバ１を挟み込む。作業者が、第１挟持対４５と第２挟持対４６の間を押圧することで、第１挟持対４５と第２挟持対４６には、均等に力が加わり、光ファイバ１を同等の力で挟み込むことができる。加えて、作業者が第１挟持対４５と第２挟持対４６との間を押圧するように把持部４７を構成することで、変形部４１の撓みにより、第１挟持対４５と第２挟持対４６のうち、一方の挟持対のみが偏って近接することを防ぐことができる。
【００５６】
把持部４７は、作業者の指が係りやすいように形成されていることが好ましい。本実施形態の把持部４７は、アーム部４０の先端側において、外側に膨出する膨出部４７ａを有している。作業者は、把持部４７を指で押圧した状態で光ファイバ１の引き抜き被覆除去工程を行う。把持部４７に膨出部４７ａが設けられていることで、作業者が光ファイバ１を引き抜く際に膨出部４７ａが指に係り、作業を容易に行うことができる。
【００５７】
＜凹部＞
図２及び図４に示すように、一対のアーム部４０に設けられた操作部４２には、トンネル状に下側が窪んで凹部５０がそれぞれ形成されている。凹部５０は、後方（−Ｙ方向と）下方（−Ｚ方向）に開口している。凹部５０の天面（対向面）５０ａは、台部１１の上面（対向面）１１ａと平行に形成されている。天面５０ａと上面１１ａとの距離Ｈは、後段において説明する光ファイバホルダ２００（図５参照）の先端に位置する延出部１９６の高さｈと略同じである。
【００５８】
ストリッパ１００は、凹部５０の天面５０ａと台部１１の上面１１ａとの間に、光ファイバホルダ２００の延出部１９６が配置された状態で、光ファイバホルダ２００に把持された光ファイバ１の被覆除去を行う。延出部１９６の高さｈと、天面５０ａと上面１１ａとの距離Ｈとが略同じであるため、延出部１９６は、天面５０ａと上面１１ａに略接触して挟み込まれた状態となる。一対の操作部４２は、延出部１９６の上面１９６ａをガイドとしてＸ−Ｙ平面と平行に動作する。これにより、一対の操作部４２同士が、上下方向（Ｚ軸方向）に相対的にずれたり傾いたりすることが抑制される。
【００５９】
＜嵌合凹部、嵌合凸部＞
図４に示すように、嵌合凹部４９Ａは、第１操作部４２Ａの内側面４２ａに設けられている。嵌合凹部４９Ａは、第２突出片４４に対して上下にそれぞれ設けられている。同様に、嵌合凸部４９Ｂは、第２操作部４２Ｂの内側面４２ａにおいて、第２突出片４４に対して上下にそれぞれ設けられている。
嵌合凹部４９Ａと嵌合凸部４９Ｂとは、互いに向かい合って配置されている。嵌合凹部４９Ａと嵌合凸部４９Ｂとは、第１操作部４２Ａと第２操作部４２Ｂとが互いに近接した際に嵌り合う。嵌合凹部４９Ａと嵌合凸部４９Ｂとは、第１操作部４２Ａ及び第２操作部４２Ｂの上下に配置されているため、嵌合凸部４９Ｂが第１操作部４２Ａを上下方向から挟み込むように配置される。これにより、第１操作部４２Ａと第２操作部４２Ｂとが、上下方向（Ｚ軸方向）に相対的にずれたり傾いたりすることを抑制できる。互いに対向する第１突出片４３の先端４３ａ同士、並びに第２突出片４４の丸溝４４ｂ同士がずれたり傾いたりすることを抑制し、光ファイバ１を両側から均一に挟持することができる。
【００６０】
＜＜光ファイバホルダ＞＞
図５を基に、光ファイバホルダ２００について説明を行う。光ファイバホルダ２００は、光ファイバ１（図１２参照）を保持し、光ファイバ１の位置決めを行うために用いられる。また、光ファイバホルダ２００は、光ファイバ１同士の接続工程において共通して用いることが想定されている。光ファイバ１同士の接続工程は、光ファイバ１の端末部１ａの被覆除去工程を行った後に行われる。
【００６１】
光ファイバホルダ２００は、ベース部１９１と、ヒンジ部となる基端部１９２ａでベース部１９１に対し回動自在に結合された蓋体１９２とを有する。
光ファイバホルダ２００下側には、平坦面な下面２００ａが形成されている。また、光ファイバホルダ２００の両側には前後方向（Ｙ軸方向）に延びる側面２００ｂがそれぞれ形成されている。
【００６２】
光ファイバホルダ２００は、ベース部１９１の上に載置された光ファイバ１を、蓋体１９２とベース部１９１との間に押さえ込んで把持固定する。
以下の説明において、光ファイバホルダ２００に把持固定される光ファイバ１の長手方向において、ストリッパ１００により被覆除去される光ファイバ１の端末部１ａ側（＋Ｙ方向）を前方といい、その反対側（−Ｙ方向）を後方と呼ぶ。
【００６３】
ベース部１９１は、基体部１９５と、基体部１９５の前方（＋Ｙ側）に延出する一対の延出部１９６とを備えている。一対の延出部１９６の間には、光ファイバ１が延出する空間１９９が形成されている。
【００６４】
ベース部１９１（基体部１９５）の上面１９１ｂには、光ファイバ１を収容する位置決め凹部１９３ａを有する第１保持壁部１９３と、位置決め凹部１９４ａを有する第２保持壁部１９４と、位置決め凹部１９５ａを有する台部１９５ｂと、が形成されている。
第２保持壁部１９４は第１保持壁部１９３の前方に、第１保持壁部１９３から離間して形成されている。台部１９５ｂは第２保持壁部１９４の前方に、第２保持壁部１９４から離間して形成されている。
【００６５】
ベース部１９１（基体部１９５）の上面には、位置決め凹部１９３ａから位置決め凹部１９４ａを経て前後方向に延在する直線状の位置決め溝１９１ａが形成されている。位置決め溝１９１ａは、光ファイバ１を位置決めする溝部であって、例えば断面略Ｖ字形、断面略Ｕ字形、断面半円形などとすることができる。
【００６６】
蓋体１９２をベース部１９１の上面１９１ｂに被せた状態（閉状態）では、蓋体１９２は第１保持壁部１９３と第２保持壁部１９４との間に配置される。
蓋体１９２の基端部１９２ａ（ヒンジ部）とは反対の端部である先端部１９２ｂ側に形成された係止突起１９２ｃは、ベース部１９１に形成された係止凹部１９１ｃに係脱自在に嵌合できる。
蓋体１９２は、ベース部１９１の上面１９１ｂに被せた状態（閉状態）で、係止突起１９２ｃをベース部１９１の係止凹部１９１ｃに係合させることで、光ファイバ１をベース部１９１（基体部１９５）に押さえ込んで把持固定できる。
【００６７】
＜＜被覆除去工程＞＞
次に、本実施形態のストリッパ１００を用いて、光ファイバ１の被覆を除去する工程の一例について説明する。
まず、図５に示すように光ファイバ１を、光ファイバホルダ２００に把持させる。
次に、光ファイバホルダ２００の先端から延びる光ファイバ１の端末部１ａを、ストリッパ１００の近接制限部４８の上面４８ａに接触させる。さらに、光ファイバホルダ２００を前方に移動して、端末部１ａをガイド体１５の上面１５ａ、基部１０の支柱部１２に形成されたテーパ部１２ｂ、ガイド孔１２ａに順に導く。これにより、光ファイバ１の端末部１ａをガイド孔１２ａに挿通させる。
【００６８】
光ファイバ１は、曲り癖がついている場合がある。上述したように、端末部１ａを近接制限部４８、ガイド体１５の上面１５ａ、テーパ部１２ｂの順に接触させた状態で導くことで、光ファイバ１を容易にガイド孔１２ａに挿通させることができる。
【００６９】
次に、光ファイバホルダ２００の下面２００ａ（図５参照）をストリッパ１００の台部１１の上面１１ａに搭載させる。このとき、光ファイバホルダ２００の両側面２００ｂをストリッパ１００のスライド部１３に沿うように配置する。一対のスライド部１３同士の距離は、光ファイバホルダ２００の幅より若干大きく形成されているため、光ファイバホルダ２００は、スライド部１３の間に収まる。
さらに、光ファイバホルダ２００を前方に直線移動させ、延出部１９６の前方先端面をストリッパ１００のストッパ１４に当接させる。このとき、光ファイバホルダ２００の延出部１９６が、一対の操作部４２の下側にトンネル状に形成された、凹部５０（図２、図４参照）に収まる。延出部１９６の上面１９６ａは、凹部５０の天面５０ａに接触した状態となる。
【００７０】
このようにして、被覆除去のための前工程が完了する。この状態において、光ファイバ１は、端末部１ａがガイド孔１２ａによって支持されており、他方が光ファイバホルダ２００により支持されている。したがって、光ファイバ１に曲り癖がついている場合であっても、光ファイバ１の直線性を保たせることができる。
【００７１】
次に、図６に示すように、近接制限部４８が対向する面に当接するまで、一対の変形部４１を変形させて一対の操作部４２を互いに近づける。これにより、第１挟持対４５と第２挟持対４６との先端４３ａ、４４ａで、光ファイバ１を挟み込み、挟持状態とする。この工程は、一対の把持部４７を作業者の拇指と食指とにより把持することで行う。
【００７２】
図７（ａ）は、挟持状態における第１挟持対４５及び光ファイバ１を示す断面図である。挟持状態において、第１挟持対４５の一対の先端４３ａ同士は、平行となっている。また挟持状態において、一対の先端４３ａ同士は、内側被覆層３並びに外側被覆層４に、食い込んで向き合っている。
次工程において、光ファイバ１は、後方（−Ｙ方向）に引き抜かれる。このとき、第１挟持対４５の一対の先端４３ａは、＋Ｙ側の角部で内側被覆層３及び外側被覆層４に破断の起点５を生じさせる。
【００７３】
図７（ｂ）は、本実施形態の変形例の第１挟持対４５Ｘを説明する図であり、挟持状態における第１挟持対４５Ｘ及び光ファイバ１を示す断面図である。変形例の第１挟持対４５Ｘは、一対の第１突出片４３Ｘからなる。また、一対の第１突出片４３Ｘの先端４３Ｘａ同士は、挟持状態で光ファイバ１を引き抜く方向（後方、−Ｙ方向）が広がるように傾斜して形成されている。対向する先端４３Ｘａ同士は、最も近接する前方側で内側被覆層３並びに外側被覆層４に食い込んで向き合っている。
変形例の第１挟持対４５Ｘであっても、先端４３Ｘａの＋Ｙ側の角部で内側被覆層３並びに外側被覆層４に破断の起点５を生じさせることができる。
なお、第１挟持対４５Ｘの対向する先端４３Ｘａ同士の傾斜角度は、できるだけ小さく、平行に近づけることが好ましい。即ち、体外に並行とされた第１実施形態の第１挟持対４５が最も好ましい。
先端４３ａ同士を平行とすることで、第１突出片４３Ｘの耐久性を高めることができる。
【００７４】
図７（ｃ）は、本実施形態の変形例の第１挟持対４５Ｙを説明する図であり、挟持状態における第１挟持対４５Ｙ及び光ファイバ１を示す断面図である。変形例の第１挟持対４５Ｙは、一対の第１突出片４３Ｙからなる。また、一対の第１突出片４３Ｙの先端４３Ｙａ同士は、挟持状態において、平行となっている。
一対の第１突出片４３Ｙには、前方に傾斜し突出する傾斜面４３Ｙｃが設けられている。第１突出片４３Ｙの傾斜面４３Ｙｃと先端４３Ｙａとは、鋭角となっている。即ち、第１突出片４３Ｙは、前方に向かって鋭角な楔形状を有している。第１突出片４３Ｙは、楔状に形成された傾斜面４３Ｙｃと先端４３Ｙａとの角部において、光ファイバ１の内側被覆層３並びに外側被覆層４に食い込む。
次工程において、光ファイバ１は、後方（−Ｙ方向）に引き抜かれる。このとき第１挟持対４５Ｙは、先端４３Ｙａと傾斜面４３Ｙｃとの角部において、内側被覆層３及び外側被覆層４に破断の起点５を生じさせる。光ファイバ１が、後方（−Ｙ方向）に引き抜かれると、破断の起点５より前方に位置する内側被覆層３並びに外側被覆層４が、第１挟持対４５Ｙの傾斜面４３Ｙｃに乗り上げる。これにより、破断の起点５より前方の内側被覆層３並びに外側被覆層４が確実に除去される。
【００７５】
図７（ｄ）は、本実施形態の変形例の第１挟持対４５Ｚを説明する図であり、挟持状態における第１挟持対４５Ｚ及び光ファイバ１を示す断面図である。変形例の第１挟持対４５Ｚは、一対の第１突出片４３Ｚからなる。また、一対の第１突出片４３Ｚの先端４３Ｚａ同士は、挟持状態で光ファイバ１を引き抜く方向（後方、−Ｙ方向）が広がるように傾斜して形成されている。
一対の第１突出片４３Ｚには、前方に傾斜し突出する傾斜面４３Ｚｃが設けられている。第１突出片４３Ｚの傾斜面４３Ｚｃと先端４３Ｚａとは、鋭角となっている。即ち、第１突出片４３Ｚは、前方に向かって鋭角な楔形状を有している。第１突出片４３Ｚは、楔状に形成された傾斜面４３Ｚｃと先端４３Ｚａとの角部において、光ファイバ１の内側被覆層３並びに外側被覆層４に食い込む。
第１突出片４３Ｚの前方に傾斜面４３Ｚｃを設け第１突出片４３Ｚを前方に向かって鋭角な楔状とすることで、破断の起点５で確実に内側被覆層３並びに外側被覆層４を破断し、除去できる。
【００７６】
図８（ａ）は、挟持状態における第２挟持対４６及び光ファイバ１を示す断面図である。挟持状態において、第２挟持対４６の一対の先端４４ａに設けられた丸溝４４ｂは、互いに平行になっている。また、一対の丸溝４４ｂの半径は同一であり、さらに挟持状態で半径中心が一致するように構成されている。したがって、挟持状態の丸溝４４ｂは、横断面の視野において同一の円を構成する。挟持状態において、一対の丸溝４４ｂは、内側被覆層３の外径以上、外側被覆層４の外径以下の距離となるように配置される。即ち、一対の丸溝４４ｂが構成する円の直径は、内側被覆層３の外径以上、外側被覆層４の外径以下となるように構成されている。これにより、外側被覆層４に丸溝４４ｂを食い込ませることができる。また、向かいあう丸溝４４ｂは、裸光ファイバ２の外径Ｄ１より離間しているため、裸光ファイバ２を損傷させることがない。
第２挟持対４６の一対の丸溝４４ｂは、＋Ｙ側の角部で外側被覆層４に破断の起点６を生じさせる。
【００７７】
図８（ｂ）は、本実施形態の変形の第２挟持対４６Ｘを説明する図であり、挟持状態における第２挟持対４６Ｘ及び光ファイバ１を示す断面図である。変形例の第２挟持対４６Ｘは、一対の第２突出片４４Ｘからなる。また、一対の第２突出片４４Ｘの丸溝４４Ｘｂ同士は、挟持状態で光ファイバ１を引き抜く方向（後方、−Ｙ方向）が広がるように傾斜するテーパ部として形成されている。対向する丸溝４４Ｘｂ同士が最も近接する前方側での丸溝４４Ｘｂ同士の距離（即ち、一対の丸溝４４Ｘｂが構成する共通の円の直径）は、内側被覆層３の外径以上、外側被覆層４の外径以下の距離で互いに向き合っている。
このような、変形例の第２挟持対４６Ｘであっても、外側被覆層４に破断の起点６を生じさせる。
なお、第２挟持対４６Ｘの対向する丸溝４４Ｘｂの傾斜角度は、できるだけ小さく、平行に近づけることが好ましい。これにより、第２突出片４４Ｘの耐久性を高めることができる。
【００７８】
さらに、図６に示すように、挟持状態において、第１操作部４２Ａの嵌合凹部４９Ａと第２操作部４２Ｂとが互いに嵌合する。これによって、第１操作部４２Ａと第２操作部４２Ｂとが傾いたり、上下方向（Ｚ軸方向）に位置ずれしたりすることを抑制できる。したがって、第１挟持対４５の一対の先端４３ａ同士、並びに第２挟持対４６の一対の先端４４ａ同士は、傾いたり互いの距離がずれたりすることなく、適切に光ファイバ１を挟みこむことができる。
【００７９】
加えて、光ファイバホルダ２００の延出部１９６の上面１９６ａは、操作部４２の下側に形成された凹部５０の天面５０ａと接触している。これにより、延出部１９６の上面１９６ａが、操作部４２が台部１１の上面１１ａに対して平行に動作するためのガイドとして機能する。これにより、操作部４２が、傾いたり上下方向にずれたりすることなく、適切に光ファイバ１を挟み込むことができる。
【００８０】
次に、図９に示すように、光ファイバホルダ２００をストリッパ１００のスライド部１３に沿って後方に直線移動させ、光ファイバ１を第１挟持対４５及び第２挟持対４６の間から引き抜く。これにより、光ファイバ１は、第１挟持対４５において内側被覆層３及び外側被覆層４が除去され、第２挟持対４６において外側被覆層４のみが除去される。これにより、内側被覆層３と外側被覆層４とが段付きに除去された光ファイバ１の端末部１ａを形成できる。
この被覆除去工程において、第１挟持対４５及び第２挟持対４６が光ファイバ１を挟み込む様子を、作業者が確認できる。したがって、被覆除去を確実に行い光ファイバ１に損傷を与えていないことを確認しながら作業を行うことができる。
【００８１】
以上の様に、本実施形態のストリッパ１００を用いることで、光ファイバ１に対し一度の被覆除去工程を行うのみで、容易に段付きの端末部１ａを形成できる。
なお、ストリッパ１００は、光ファイバホルダ２００に保持されていない光ファイバ１の被覆除去を行うことができる。
また、ストリッパ１００は、光ファイバ１の内側被覆層３及び外側被覆層４を段付きに除去する以外にも用いることができる。例えば、ストリッパ１００は、外側被覆層４を有しておらず、裸光ファイバ２と内側被覆層３とからなる光ファイバに対して、内側被覆層３を除去する為に用いても良い。
【００８２】
（第２実施形態）
次に第２実施形態のストリッパ（光ファイバ用被覆除去具）３００について、図１０、図１１を基に説明する。
図１０は、ストリッパ３００の斜視図であり、図１１は、ストリッパ３００による被覆除去工程の様子を示す図である。
なお、上述の第１実施形態と同一態様の構成要素については、同一符号を付し、その説明を省略する。
【００８３】
ストリッパ３００は、基部２１０と、基部２１０から一方向に延出された一対のアーム部２４０とを有し、これらが一体に形成されたものである。
基部２１０は、平面視矩形状で上下方向（Ｚ軸方向）に厚みを有する台部２１１と、台部２１１の上面２１１ａの前方（＋Ｙ側）に設けられた支柱部２１２と、台部２１１の上面２１１ａの後方（−Ｙ側）に設けられた第１スライド部２１３Ａ及び第２スライド部２１３Ｂと、を有する。
【００８４】
第１スライド部２１３Ａは、台部２１１の幅方向（Ｘ軸方向）の一方の縁部において、上面２１１ａから上方に突出して設けられており、第２スライド部２１３Ｂは、他方の縁部において、上方に突出して設けられている。
第１スライド部２１３Ａ及び第２スライド部２１３Ｂは、台部２１１の幅方向両側の縁に沿って長手方向（Ｙ軸方向）に延びている。第１スライド部２１３Ａ及び第２スライド部２１３Ｂは、互いに平行に延びている。第１スライド部２１３Ａと第２スライド部２１３Ｂとの距離は、光ファイバホルダ２００（図５参照）の厚みと略同じか若干大きくなっている。図１１に示すように、ストリッパ３００は、第１スライド部２１３Ａと第２スライド部２１３Ｂとの間に光ファイバホルダ２００を配置した状態から、光ファイバホルダ２００をＹ方向に直線移動させることができる。
【００８５】
第１スライド部２１３Ａは、第２スライド部２１３Ｂと比較して、前後方向及び上下方向の寸法が小さい。
図１１に示すように、このストリッパ３００には、上面側が第１スライド部２１３Ａ側に位置するように、光ファイバホルダ２００が取り付けられる。光ファイバホルダ２００の上面側には、蓋体１９２が設けられている。図５に示すように、蓋体１９２は、光ファイバホルダ２００の上面から上方に突出している。第１スライド部２１３Ａの寸法が、前後方向に小さく形成されていることで、蓋体１９２と第１スライド部２１３Ａとが干渉することなく、光ファイバホルダ２００をストリッパ３００に取り付けることができる。
また、第１スライド部２１３Ａと第２スライド部２１３Ｂの形状設計は、被覆除去工程を行う作業者の握りやすさを考慮してなされている。第１スライド部２１３Ａには拇指を掛けやすく、第２スライド部２１３Ｂには、食指の側部を沿わせやすいように、それぞれの形状が決められている。
【００８６】
一対のアーム部２４０は、基部２１０の支柱部２１２から後方（−Ｙ方向）に延びている。アーム部２４０は、先端側（−Ｙ側）に設けられた操作部２４２と、支柱部２１２側に設けられ弾性変形することで操作部２４２同士を互いに近接させる変形部２４１と、を備えている。
【００８７】
一対の操作部２４２は、それぞれ、第１突出片２４３と、第２突出片２４４と、把持部２４７と、を有している。互いに向かい合う一対の第１突出片２４３は、第１挟持対２４５を構成する。同様に、互いに向かい合う一対の第２突出片２４４は、第２挟持対２４６を構成する。
【００８８】
第１挟持対２４５及び第２挟持対２４６は、操作部２４２の内側面２４２ａに形成されている。第１挟持対２４５及び第２挟持対２４６は、変形部２４１が弾性変形することで、光ファイバ１を挟み込むことができる。
【００８９】
第１挟持対２４５を構成する第１突出片２４３の先端同士は、内側被覆層３の外径Ｄ２以下の距離に近接する。第１挟持対２４５を構成する第１突出片２４３の先端は、上下方向（Ｚ軸方向）に延在する。第１突出片２４３の先端は、前後方向の厚さが１ｍｍ程度となる平坦面となっている。互いに向かい合う第１突出片２４３の先端同士は、光ファイバ１を挟み込んだ状態で、互いに平行とされることが好ましい。
【００９０】
第２挟持対２４６を構成する第２突出片２４４の先端２４４ａ同士は、内側被覆層３の外径Ｄ２以上、外側被覆層４の外径Ｄ３以下の距離に近接が制限されている。また、第２突出片２４４の先端は、上下方向（Ｚ軸方向）に延在する。第２突出片２４４の先端には、外側被覆層４の外径Ｄ２に対応する丸溝２４４ｂが設けられている。
【００９１】
図１１に示すように、ストリッパ３００には、縦向きにした状態の光ファイバホルダ２００が後方から取り付けられ、被覆除去工程が行われる。
図５に示すように、光ファイバホルダ２００の前方においては、一対の延出部１９６の間の空間１９９が形成されている。また、空間１９９の後方であって、延出部１９６の間には、平坦な中央前面１９７が位置している。
光ファイバホルダ２００は、一対の延出部１９６の間に操作部２４２が位置させるように、配置される。操作部２４２の後方面はストッパ２１４であり、光ファイバホルダ２００の中央前面１９７と当接する。これにより、光ファイバホルダ２００をＹ軸方向に位置決めして、光ファイバホルダ２００に保持された光ファイバ１の被覆除去の開始位置を所定の位置とすることができる。
【００９２】
作業者は、ストリッパ３００の第１挟持対２４５及び第２挟持対２４６で、光ファイバ１を挟み込み、さらに光ファイバ１を後方（−Ｙ方向）に引き抜く被覆除去工程を行うことができる。
この被覆除去工程により、第１挟持対２４５においては、光ファイバ１の内側被覆層３と外側被覆層４とを同時に除去できる。また第２挟持対２４６においては、外側被覆層４のみを除去できる。したがって、光ファイバ１に段付きの端末部１ａを容易に形成できる。
以上の様に、第２実施形態のストリッパ３００は、第１実施形態と同様の効果を奏することができる。
【００９３】
なお、本発明の技術範囲は上記の実施形態に限定されるものではなく、本発明の趣旨を逸脱しない範囲において、種々の変更を加えることが可能である。例えば、第１挟持対及び第２挟持対は、光ファイバの被覆の性状に合わせて適宜、形状を変更してもよい。
【符号の説明】
【００９４】
１…光ファイバ、１ａ…端末部（先端）、２…裸光ファイバ、３…内側被覆層、４…外側被覆層、５、６…起点、１０、２１０…基部、１１、２１１…台部、１１ａ…上面（対向面）、１２、２１２…支柱部、１２ａ…ガイド孔、１２ｂ…テーパ部、１３…スライド部、１４、２１４…ストッパ、１５…ガイド体、４０、２４０…アーム部、４１、２４１…変形部、４２、２４２…操作部、４２ａ、２４２ａ…内側面、４２Ａ…第１操作部、４２Ｂ…第２操作部、４２ａ…内側面、４３、４３Ｘ、２４３…第１突出片、４３ａ、４３Ｘａ、４４ａ、２４４ａ…先端、４４、４４Ｘ、２４４…第２突出片、４４ｂ、４４Ｘｂ、２４４ｂ…丸溝、４５、４５Ｘ、２４５…第１挟持対、４６、４６Ｘ、２４６…第２挟持対、４７、２４７…把持部、４７ａ…膨出部、４８…近接制限部、４９Ａ…嵌合凹部、４９Ｂ…嵌合凸部、５０…凹部、５０ａ…天面（対向面）、１００、３００…ストリッパ（光ファイバ用被覆除去具）、１９１…ベース部、１９２…蓋体、１９６…延出部、１９７…中央前面、１９９…空間、２００…光ファイバホルダ、２００ａ…下面、２００ｂ…側面、２１３Ａ…第１スライド部、２１３Ｂ…第２スライド部、Ｄ１…外径、Ｄ２…外径、Ｄ３…外径
【図１】
0006431740.tif 000002
【図２】
0006431740.tif 000003
【図３】
0006431740.tif 000004
【図４】
0006431740.tif 000005
【図５】
0006431740.tif 000006
【図６】
0006431740.tif 000007
【図７】
0006431740.tif 000008
【図８】
0006431740.tif 000009
【図９】
0006431740.tif 000010
【図１０】
0006431740.tif 000011
【図１１】
0006431740.tif 000012
【図１２】
0006431740.tif 000013